(57)【要約】【課題】ショップサイトのカスタマイズを容易にするとともに、ショップサイトを容易に増加することができる電子商取引システムを提供する。【解決手段】ショップ用データベースサーバには、１つのショップサイトの運用に必要なショップマスタ、商品マスタおよび顧客マスタを格納するショップデータ格納部がショップごとに複数設けられ、ショップ用ウェブサーバには、１つのショップサイトを格納するショップサイト格納部がショップごとに複数設けられ、各ショップサイト格納部には、当該ショップや商品の情報が掲載されたコンテンツページが格納されるとともに、上記商品の購買処理を可能とする購入処理ページが動的ファイルとしてキャッシュ可能となっており、上記ショップ用データベースサーバにおけるショップデータ格納部および、ショップ用ウェブサーバにおけるショップサイト格納部を、ショップが増加するごとに増設しうるように構成されている。【選択図】図２
2007133792.tif 000002
【特許請求の範囲】
【請求項１】
ショップサイトが格納されたショップ用ウェブサーバと、上記ショップおよび当該ショップにおいて取り扱う商品に関する情報が格納されたショップ用データベースサーバとを備え、
上記ショップ用データベースサーバには、１つのショップサイトの運用に必要なショップマスタ、商品マスタおよび顧客マスタを格納するデータ格納部が、同一データベース上に表領域を分けることによりショップごとに複数設けられ、
上記ショップ用ウェブサーバには、１つのショップサイトを格納するショップサイト格納部がショップごとに複数設けられ、
上記各ショップサイト格納部には、当該ショップの詳細情報や当該ショップが取り扱う商品の詳細情報が掲載されたコンテンツページが格納されるとともに、上記商品の購買処理を可能とする購入処理ページが動的ファイルとしてキャッシュ可能となっており、
あるショップに係るデータ格納部をデータベース検索手段でデータベース検索することにより抽出された情報に基づいて当該ショップのショップサイトを構成するウェブページを生成し、当該ショップに対応するショップサイト格納部に格納するウェブページ生成手段を備え、
上記ショップ用データベースサーバにおけるデータ格納部および、ショップ用ウェブサーバにおけるショップサイト格納部を、ショップが増加するごとに増設しうるように構成されていることを特徴とする電子商取引システム。
【請求項２】
上記ウェブページ生成手段は、各ショップごとのコンテンツページおよび購入処理ページの表示設定を変更可能に構成されている請求項１記載の電子商取引システム。
【請求項３】
上記ウェブページ生成手段は、上記ショップマスタおよび／または商品マスタをデータベース検索手段でデータベース検索することにより抽出された情報に基づいて、上記コンテンツページとしてショップ詳細情報ページおよび／または商品詳細情報ページを静的ファイルとして自動生成し、ＵＲＬとなるファイル名を付与してショップサイト格納部に格納する請求項１または２記載の電子商取引システム。
【請求項４】
上記ウェブページ生成手段は、さらに、上記商品詳細情報ページに設けられたリンクへの操作入力をトリガーとして、上記商品マスタをデータベース検索手段でデータベース検索することにより抽出された情報に基づいて、上記購入処理ページを動的ファイルとして自動生成してキャッシュする請求項３記載の電子商取引システム。
【請求項５】
上記ウェブページ生成手段は、さらに、上記ショップ詳細情報ページに設けられたリンクへの操作入力をトリガーとして、上記商品マスタをデータベース検索手段でデータベース検索することにより抽出された情報に基づいて、上記コンテンツページとして当該ショップにおける取扱い商品の一覧を示す取扱商品一覧ページを動的ファイルとして自動生成してキャッシュし、
上記取扱商品一覧ページは、上記商品詳細情報ページに対するリンクが設けられるとともに、ショップ詳細情報ページに設けられたリンクを介して端末装置に表示されるように構成されている請求項３または４記載の電子商取引システム。
【請求項６】
ショップサイトが格納されたショップ用ウェブサーバと、上記ショップおよび当該ショップにおいて取り扱う商品に関する情報が格納されたショップ用データベースサーバとを準備し、
上記ショップ用データベースサーバに、１つのショップサイトの運用に必要なショップマスタ、商品マスタおよび顧客マスタを格納するデータ格納部を、同一データベース上に表領域を分けることによりショップごとに複数設け、
上記ショップ用ウェブサーバに、１つのショップサイトを格納するショップサイト格納部をショップごとに複数設け、
上記各ショップサイト格納部に、当該ショップの詳細情報や当該ショップが取り扱う商品の詳細情報が掲載されたコンテンツページを格納するとともに、上記商品の購買処理を可能とする購入処理ページを動的ファイルとしてキャッシュし、
あるショップに係るデータ格納部をデータベース検索手段でデータベース検索することにより抽出された情報に基づいて当該ショップのショップサイトを構成するウェブページを生成し、当該ショップに対応するショップサイト格納部に格納し、
上記ショップ用データベースサーバにおけるデータ格納部および、ショップ用ウェブサーバにおけるショップサイト格納部を、ショップが増加するごとに増設することを特徴とする電子商取引方法。
【請求項７】
ショップサイトが格納されたショップ用ウェブサーバと、上記ショップおよび当該ショップにおいて取り扱う商品に関する情報が格納されたショップ用データベースサーバとを準備し、
上記ショップ用データベースサーバに、１つのショップサイトの運用に必要なショップマスタ、商品マスタおよび顧客マスタを格納するデータ格納部を、同一データベース上に表領域を分けることによりショップごとに複数設けるステップ、
上記ショップ用ウェブサーバに、１つのショップサイトを格納するショップサイト格納部をショップごとに複数設けるステップ、
上記各ショップサイト格納部に、当該ショップの詳細情報や当該ショップが取り扱う商品の詳細情報が掲載されたコンテンツページを格納するとともに、上記商品の購買処理を可能とする購入処理ページを動的ファイルとしてキャッシュするステップ、
あるショップに係るデータ格納部をデータベース検索手段でデータベース検索することにより抽出された情報に基づいて当該ショップのショップサイトを構成するウェブページを生成し、当該ショップに対応するショップサイト格納部に格納するステップ、
上記ショップ用データベースサーバにおけるデータ格納部および、ショップ用ウェブサーバにおけるショップサイト格納部を、ショップが増加するごとに増設するステップをコンピュータ装置に実行させることを特徴とする電子商取引プログラム。
【発明の詳細な説明】
【技術分野】
【０００１】
本発明は、電子商取引を行うショップサイトを容易に増加することができる電子商取引システムおよび方法並びにプログラムに関する。
【背景技術】
【０００２】
従来から、インターネットにおけるオンラインショッピングシステム等については、各種のホームページやウェブサイトで運営されてきた。最近では、多数のネットショップのホームページを集めたインターネットショッピングモールとしてのポータルサイトも数多く運営され、仮想モールシステムとして特許出願されている（例えば下記の特許文献１〜３）。
【０００３】
上記のようなインターネットショッピングモールは、購買意欲のある顧客からのアクセスが集中するポータルサイトである仮想モール内にオンラインショッピングサイトであるホームページを開設することにより、比較的容易に集客効果を期待できるものである。
【特許文献１】特開２０００−１１３０３１号公報
【特許文献２】特開２００２−３１２６１５号公報
【特許文献３】特開２００４−３１０３９３号公報
【発明の開示】
【発明が解決しようとする課題】
【０００４】
上記のような従来のインターネットショッピングモールは、ショッピング用の業務システムはＡＳＰ（Application Service Provider）により提供されているが、出店する各ショップが同じシステムを利用することになるため、ショップ独自のオリジナリティを出したカスタマイズができないという問題があった。したがって、ショップがオリジナリティを重視したサイトにしようとすると、各ショップが独自にショッピングサイトを構築する必要がある。ショッピングモールでそれを行おうとすると、費用も莫大なものになるし、ショッピングサイトをいちいち新たに構築しなければならないので、出店するショップ数を増やすにも困難があったし、集客も思うようにはいかずに困難であったのが実情である。
【０００５】
本発明は、このような事情に鑑みなされたもので、いわゆるインターネットショッピングモールにおいて電子商取引を行うショップサイトのカスタマイズを容易にするとともに、ショップサイトを容易に増加することができる電子商取引システムおよび方法並びにプログラムを提供することを目的とする。
【課題を解決するための手段】
【０００６】
上記の目的を達成するために、本発明の電子商取引システムは、ショップサイトが格納されたショップ用ウェブサーバと、上記ショップおよび当該ショップにおいて取り扱う商品に関する情報が格納されたショップ用データベースサーバとを備え、
上記ショップ用データベースサーバには、１つのショップサイトの運用に必要なショップマスタ、商品マスタおよび顧客マスタを格納するデータ格納部が、同一データベース上に表領域を分けることによりショップごとに複数設けられ、
上記ショップ用ウェブサーバには、１つのショップサイトを格納するショップサイト格納部がショップごとに複数設けられ、
上記各ショップサイト格納部には、当該ショップの詳細情報や当該ショップが取り扱う商品の詳細情報が掲載されたコンテンツページが格納されるとともに、上記商品の購買処理を可能とする購入処理ページが動的ファイルとしてキャッシュ可能となっており、
あるショップに係るデータ格納部をデータベース検索手段でデータベース検索することにより抽出された情報に基づいて当該ショップのショップサイトを構成するウェブページを生成し、当該ショップに対応するショップサイト格納部に格納するウェブページ生成手段を備え、
上記ショップ用データベースサーバにおけるデータ格納部および、ショップ用ウェブサーバにおけるショップサイト格納部を、ショップが増加するごとに増設しうるように構成されていることを要旨とする。
【０００７】
また、上記の目的を達成するために、本発明の電子商取引方法は、ショップサイトが格納されたショップ用ウェブサーバと、上記ショップおよび当該ショップにおいて取り扱う商品に関する情報が格納されたショップ用データベースサーバとを準備し、
上記ショップ用データベースサーバに、１つのショップサイトの運用に必要なショップマスタ、商品マスタおよび顧客マスタを格納するデータ格納部を、同一データベース上に表領域を分けることによりショップごとに複数設け、
上記ショップ用ウェブサーバに、１つのショップサイトを格納するショップサイト格納部をショップごとに複数設け、
上記各ショップサイト格納部に、当該ショップの詳細情報や当該ショップが取り扱う商品の詳細情報が掲載されたコンテンツページを格納するとともに、上記商品の購買処理を可能とする購入処理ページを動的ファイルとしてキャッシュし、
あるショップに係るデータ格納部をデータベース検索手段でデータベース検索することにより抽出された情報に基づいて当該ショップのショップサイトを構成するウェブページを生成し、当該ショップに対応するショップサイト格納部に格納し、
上記ショップ用データベースサーバにおけるデータ格納部および、ショップ用ウェブサーバにおけるショップサイト格納部を、ショップが増加するごとに増設することを要旨とする。
【０００８】
また、上記の目的を達成するために、本発明の電子商取引プログラムは、ショップサイトが格納されたショップ用ウェブサーバと、上記ショップおよび当該ショップにおいて取り扱う商品に関する情報が格納されたショップ用データベースサーバとを準備し、
上記ショップ用データベースサーバに、１つのショップサイトの運用に必要なショップマスタ、商品マスタおよび顧客マスタを格納するデータ格納部を、同一データベース上に表領域を分けることによりショップごとに複数設けるステップ、
上記ショップ用ウェブサーバに、１つのショップサイトを格納するショップサイト格納部をショップごとに複数設けるステップ、
上記各ショップサイト格納部に、当該ショップの詳細情報や当該ショップが取り扱う商品の詳細情報が掲載されたコンテンツページを格納するとともに、上記商品の購買処理を可能とする購入処理ページを動的ファイルとしてキャッシュするステップ、
あるショップに係るデータ格納部をデータベース検索手段でデータベース検索することにより抽出された情報に基づいて当該ショップのショップサイトを構成するウェブページを生成し、当該ショップに対応するショップサイト格納部に格納するステップ、
上記ショップ用データベースサーバにおけるデータ格納部および、ショップ用ウェブサーバにおけるショップサイト格納部を、ショップが増加するごとに増設するステップをコンピュータ装置に実行させることを要旨とする。
【発明の効果】
【０００９】
すなわち、本発明によれば、上記ショップ用データベースサーバにおけるデータ格納部および、ショップ用ウェブサーバにおけるショップサイト格納部を、ショップが増加するごとに増設しうるように構成されていることから、ショッピングサイトをいちいち新たに構築するのに比べ、ショップサイトを容易に増加することができる。
【００１０】
本発明において、上記ウェブページ生成手段は、各ショップごとのコンテンツページおよび購入処理ページの表示設定を変更可能に構成されている場合には、
各ショップごとに生成されるコンテンツページおよび購入処理ページの表示が変更されるため、ショップのオリジナリティを出したカスタマイズを容易に行うことができる。
【００１１】
本発明において、上記ウェブページ生成手段は、上記ショップマスタおよび／または商品マスタをデータベース検索手段でデータベース検索することにより抽出された情報に基づいて、上記コンテンツページとしてショップ詳細情報ページおよび／または商品詳細情報ページを静的ファイルとして自動生成し、ＵＲＬとなるファイル名を付与してショップサイト格納部に格納する場合には、
ショップで取り扱う商品数が増加したとしても、商品マスタのデータを追加するだけで商品詳細情報ページが自動生成されるため、そのつど煩雑なウェブページ作成作業を行わなくても、ごく軽微な作業だけで商品詳細情報ページをつくることができる。
また、ショップの情報に変更があったとしても、ショップマスタのデータを更新するだけでショップ詳細情報ページが自動生成されるため、そのつど煩雑なウェブページ作成作業を行わなくても、ごく軽微な作業だけでショップ詳細情報ページをつくることができる。
【００１２】
本発明において、上記ウェブページ生成手段は、さらに、上記商品詳細情報ページに設けられたリンクへの操作入力をトリガーとして、上記商品マスタをデータベース検索手段でデータベース検索することにより抽出された情報に基づいて、上記購入処理ページを動的ファイルとして自動生成してキャッシュする場合には、
上記ショップの購入処理ページは、商品の抽出条件その他の条件によって必ずしも表示すべき商品等が一定しないため、静的ファイルとして格納せずに動的ファイルとしてキャッシュし、システムのファイル格納領域を節約することができる。取り扱い商品の変更や追加があったとしても、商品マスタのデータを追加するだけで、そのつど生成される動的ファイルとしての購入処理ページが自動生成されるため、そのつど煩雑なウェブページ作成作業を行わなくても済む。
【００１３】
本発明において、上記ウェブページ生成手段は、さらに、上記ショップ詳細情報ページに設けられたリンクへの操作入力をトリガーとして、上記商品マスタをデータベース検索手段でデータベース検索することにより抽出された情報に基づいて、上記コンテンツページとして当該ショップにおける取扱い商品の一覧を示す取扱商品一覧ページを動的ファイルとして自動生成してキャッシュし、
上記取扱商品一覧ページは、上記商品詳細情報ページに対するリンクが設けられるとともに、ショップ詳細情報ページに設けられたリンクを介して端末装置に表示されるように構成されている場合には、
上述したように静的ファイルとしてショップサイト格納部に格納されたショップ詳細情報ページと商品詳細情報ページとを、動的ファイルである取扱商品一覧ページを介してつなげることにより、端末装置を操作する購入者は、ショップ詳細の情報から購入を希望する商品の情報にたどりつくことができる。このようにすることにより、検索エンジン等からショップ詳細情報ページに入ってきた購入者は、当該ショップ詳細情報から容易に商品の情報を入手して購入処理まで行うことができる。
さらに、上記ショップ毎の取扱商品一覧ページは、商品の抽出条件その他の条件によって必ずしも一覧表示すべき商品等が一定しないため、静的ファイルとして格納せずに動的ファイルとしてキャッシュし、システムのファイル格納領域を節約することができる。取り扱い商品の変更や追加があったとしても、商品マスタのデータを追加するだけで、そのつど生成される動的ファイルとしての取扱商品一覧ページが自動生成されるため、そのつど煩雑なウェブページ作成作業を行わなくても済む。
【発明を実施するための最良の形態】
【００１４】
以下、本発明を実施するための最良の形態について説明する。
【００１５】
図１は、本発明の一実施の形態の電子商取引システムを含むネットワーク構成を示す図である。このシステムは、本発明の電子商取引プログラムを実行して本発明の電子商取引方法を実現し、本発明の電子商取引システムとして機能するものである。
【００１６】
ショップ用ウェブサーバ６と、上記ショップ用ウェブサーバ６に付設されたショップ用データベースサーバ７とを有するショップサーバシステム１と、ポータル用ウェブサーバ８と、このポータル用ウェブサーバ８に付設されたポータル用データベースサーバ９とを有するポータルサーバシステム３とを備えている。また、本発明の業者用ウェブサーバの一態様としての物流用ウェブサーバ６１と、この物流用ウェブサーバ６１に付設された物流用データベースサーバ６２とを有する物流サーバシステム６３と、本発明の業者用ウェブサーバの一態様としての金融用ウェブサーバ６４と、この金融用ウェブサーバ６４に付設された金融用データベースサーバ６５とを有する金融サーバシステム６６とを備えている。
【００１７】
この電子商取引システムは、インターネット２に接続された顧客の端末装置５において、インターネット２経由でショップ用ウェブサーバ６に接続して商品の購入処理ページを表示し、当該商品購入処理ページにおいて商品の購入を実現する。また、インターネット２に接続された物流会社の端末装置５において、インターネット２経由で物流用ウェブサーバ６１に接続して物流業務処理ページを表示し、当該物流業務処理ページにおいて物流業務処理を実現する。さらに、インターネット２に接続された金融機関の端末装置５において、インターネット２経由で金融用ウェブサーバ６４に接続して金融業務処理ページを表示し、当該金融業務処理ページにおいて金融業務処理を実現する。
【００１８】
上記ショップサーバシステム１は、インターネット２に接続され、同じくインターネット２に接続された端末装置５においてウェブページを閲覧可能としてショップでの購入処理を可能とするショップサイトが格納されたショップ用ウェブサーバ６と、上記ショップでの購入処理を可能とするに必要なデータが格納されて、上記ショップ用ウェブサーバ６におけるウェブページを構築するためのデータを提供するためのショップ用データベースサーバ７とを備えて構成されている。
【００１９】
上記ショップサーバシステム１を構成するショップ用ウェブサーバ６およびショップ用データベースサーバ７は、それぞれ通信インターフェースや大容量データ記憶装置などを備えたシステムであり、中央処理装置がハードディスク装置等の外部記憶装置に記録されたプログラムを読み出し、そのプログラムに従って処理を実行することにより後に述べるような種々の機能を実現する。
【００２０】
上記ポータルサーバシステム３は、インターネット２に接続され、同じくインターネット２に接続された端末装置５においてウェブページを閲覧可能とするショップサイトへのポータルサイトが格納されたポータル用ウェブサーバ８と、上記ポータル用ウェブサーバ８におけるウェブページを構築するためのデータを提供するためのポータル用データベースサーバ９とを備えて構成されている。
【００２１】
上記ポータルサーバシステム３を構成するポータル用ウェブサーバ８およびポータル用データベースサーバ９は、それぞれ通信インターフェースや大容量データ記憶装置などを備えたシステムであり、中央処理装置がハードディスク装置等の外部記憶装置に記録されたプログラムを読み出し、そのプログラムに従って処理を実行することにより後に述べるような種々の機能を実現する。
【００２２】
上記物流サーバシステム６３は、インターネット２に接続され、同じくインターネット２に接続された端末装置５においてウェブページを閲覧可能としてショップと物流会社との間で行う物流業務を処理するための物流サイトが格納された物流用ウェブサーバ６１と、上記ショップと物流会社との間で行う物流業務に必要なデータが格納されて、上記物流用ウェブサーバ６１におけるウェブページを構築するためのデータを提供するための物流用データベースサーバ６２とを備えて構成されている。
【００２３】
上記物流サーバシステム６３を構成する物流用ウェブサーバ６１および物流用データベースサーバ６２は、それぞれ通信インターフェースや大容量データ記憶装置などを備えたシステムであり、中央処理装置がハードディスク装置等の外部記憶装置に記録されたプログラムを読み出し、そのプログラムに従って処理を実行することにより後に述べるような種々の機能を実現する。
【００２４】
上記金融サーバシステム６６は、インターネット２に接続され、同じくインターネット２に接続された端末装置５においてウェブページを閲覧可能としてショップと金融機関との間で行う金融業務を処理するための金融サイトが格納された金融用ウェブサーバ６４と、上記ショップと金融機関との間で行う金融業務に必要なデータが格納されて、上記金融用ウェブサーバ６４におけるウェブページを構築するためのデータを提供するための金融用データベースサーバ６５とを備えて構成されている。
【００２５】
上記金融サーバシステム６６を構成する金融用ウェブサーバ６４および金融用データベースサーバ６５は、それぞれ通信インターフェースや大容量データ記憶装置などを備えたシステムであり、中央処理装置がハードディスク装置等の外部記憶装置に記録されたプログラムを読み出し、そのプログラムに従って処理を実行することにより後に述べるような種々の機能を実現する。
【００２６】
上記ショップ用ウェブサーバ６、ポータル用ウェブサーバ８、物流用ウェブサーバ６１および金融用ウェブサーバ６４は、それぞれ情報通信ネットワーク（本実施形態ではインターネット２）に接続されている。このインターネット２には、ユーザが使用する端末装置５が接続されている。上記各端末装置５は、例えばパソコン等のコンピュータ装置である。
【００２７】
４はインターネット２すなわちウェブ上に設けられた検索エンジンであり、インターネット２上の膨大なホームページの中から、キーワードに合致するのもを検索するシステムである。ウェブページ上にある全文を対象として検索するタイプのエンジンと、ページのタイトルやコメントを手がかりにして検索するタイプのエンジンがある。一般に、検索エンジンでは、ウェブ上に存在する静的ファイルからなるホームページを定期的に巡回してキーワードを取得し、所定のキーワード入力により、キーワードに合致するホームページのＵＲＬを抽出することが行われている。
【００２８】
上記ショップ用データベースサーバ７は、本発明の電子商取引システムにおける各ショップサイトが対象とする種々のデータが記録された複数のテーブルが格納され、各テーブルをデータベース検索することにより、必要なデータの抽出を行って、ショップ用ウェブサーバ６に対して供給するようになっている。
【００２９】
また、上記ポータル用データベースサーバ９は、本発明の電子商取引システムにおけるポータルサイトが対象とする種々のデータが記録された複数のテーブルが格納され、各テーブルをデータベース検索することにより、必要なデータの抽出を行って、ポータル用ウェブサーバ８に対して供給するようになっている。
【００３０】
上記物流用データベースサーバ６２は、本発明の電子商取引システムにおける物流サイトが対象とする種々のデータが記録された複数のテーブルが格納され、各テーブルをデータベース検索することにより、必要なデータの抽出を行って、物流用ウェブサーバ６１に対して供給するようになっている。
【００３１】
上記金融用データベースサーバ６５は、本発明の電子商取引システムにおける金融サイトが対象とする種々のデータが記録された複数のテーブルが格納され、各テーブルをデータベース検索することにより、必要なデータの抽出を行って、金融用ウェブサーバ６４に対して供給するようになっている。
【００３２】
上記ショップ用データベースサーバ７と、物流用データベースサーバ６２と、金融用データベースサーバ６５とにより、イントラネット６７が構成されている。そして、上記イントラネット６７では、ショップ用データベースサーバ７におけるデータ更新に応じて、物流用データベースサーバ６２および金融用データベースサーバ６５における上記データ更新に対応したデータが更新されるように構成されている。その詳細については後述する。
【００３３】
上記ショップ用ウェブサーバ６、ポータル用ウェブサーバ８、物流用ウェブサーバ６１および金融用ウェブサーバ６４は、それぞれ、インターネット２を介してアクセスしてきた各端末装置５と、例えばＨＴＴＰ（HyperText Transfer Protocol）等のプロトコルに従ってデータ通信を行うことでＷＥＢ配信サーバとして機能する。すなわち、ショップ用ウェブサーバ６、ポータル用ウェブサーバ８、物流用ウェブサーバ６１および金融用ウェブサーバ６４は、各端末装置５からの要求に応じて、ＨＴＭＬ（HyperText Markup Language）等のデジタル文書記述言語により記述された文書や画像を含むデータであるウェブページを当該端末装置５へ向けて送信する。
【００３４】
図２は、ショップサーバシステム１を示す機能ブロック図である。
【００３５】
上記ショップ用ウェブサーバ６には、固有のネットワークアドレス（ＵＲＬ）が与えられている。ユーザは、それぞれの端末装置５でこのＵＲＬを指定することにより、ショップ用ウェブサーバ６へアクセスすることができ、上記ＨＴＭＬ（HyperText Markup Language）等のデジタル文書記述言語により記述された文書や画像を含むデータをホームページによる閲覧をしうるようになっている。また、当該ホームページにおいて、必要に応じて文書・画像等のデータや選択入力操作を入力してショップ用ウェブサーバ６に対して送信し、意思決定情報をショップ用ウェブサーバ６に対して送信するようになっている。これらの詳細については後述する。
【００３６】
上記ショップ用ウェブサーバ６には、ショップに関する情報が記録されたショップマスタ１１と、ショップにおいて取り扱う商品に関する情報が記録された商品マスタ１０と、上記ショップマスタ１１および商品マスタ１０に記録された情報をデータベース検索するデータベース検索手段１５とを含むショップ用データベースサーバ７が付設されている。
【００３７】
上記ショップ用データベースサーバ７は、上述したように、物流用データベースサーバ６２および金融用データベースサーバ６５とによりイントラネット６７を構成し、ショップ用データベースサーバ７におけるデータ更新に応じて、物流用データベースサーバ６２および金融用データベースサーバ６５において対応するデータの更新が行われる。
【００３８】
上記ショップ用データベースサーバ７は、各種のデータが格納されたショップデータ格納部２３と、上記ショップデータ格納部２３に格納されたデータをデータベース検索して所定の情報を抽出等するデータベース検索手段１５とを備えている。
【００３９】
上記ショップデータ格納部２３は、当該ショップサーバシステム１においてウェブサイトを構築して１つのショップサイトの運用に必要なショップに関する情報が記録されたショップマスタ１１と、各ショップにおいて取り扱う商品に関する情報が記録された商品マスタ１０と、当該ショップサーバシステム１に構築されたショップサイトで商品購入処理を行う顧客に関する情報が記録された顧客マスタ１２と、当該ショップサイトで商品購入処理が行われた取引に関する情報が記録されたトランザクションが格納されるトランザクション格納部１３とを備えている。
【００４０】
上記ショップデータ格納部２３は、１つのショップの業務に必要なマスタテーブルおよびトランザクションテーブルが格納されており、このようなショップデータ格納部２３がショップの数だけ複数設けられている。具体的には、同一データベース上に表領域を分けることによりショップ毎に異なるディレクトリで異なるファイル名が付与されて格納されている。
【００４１】
図３は、上記ショップ用データベースサーバ７に格納された各マスタテーブルの一例を示す。
【００４２】
上記商品マスタ１０には、商品を識別するための商品コード、品名、価格、商品を業種でカテゴリ分けする際の大分類である業種カテゴリ、商品を商品の種類でカテゴリ分けする際の小分類である商品分類、当該商品を取り扱うショップのショップコード等の商品に関する情報が記録されている。
【００４３】
上記ショップマスタ１１には、取引者としてのショップを識別するための利用者コードとしてショップコード、ＩＤ、パスワード等ログインの際の認証の際に照会される認証情報、ショップの名称（店名）、住所、電話番号、ＦＡＸ番号、メールアドレス、ショップを業種でカテゴリ分けする際の大分類である業種カテゴリ等、ショップにおける業務に必要なショップに関する情報が記録されている。
【００４４】
上記顧客マスタ１２には、取引者としての顧客を識別するための利用者コードとして顧客コード、ＩＤ、パスワード等ログインの際の認証の際に照会される認証情報が記録されている。また、上記顧客マスタ１２には、それ以外に、顧客の氏名、住所、電話番号、ＦＡＸ番号、メールアドレス等の顧客に関する情報が記録されている。
【００４５】
図４は、上記トランザクション格納部１３に格納されたトランザクションテーブルの一例を示す。
【００４６】
上記トランザクション格納部１３には、トランザクションテーブルとして、ショップの業務におけるトランザクションデータが記録されたショップトランザクション３５、ショップと物流業者の間の業務におけるトランザクションデータが記録されたショップ用業務トランザクションとしての第１の物流トランザクション３６ａ、ショップと金融業者の間の業務におけるトランザクションデータが記録されたショップ用業務トランザクションとしての第１の金融トランザクション３７ａが格納されている。
【００４７】
上記ショップトランザクション３５には、例えば、トランザクションデータとして、伝票Ｎｏ．、年月日、商品コード、数量、金額・・・等の商品取引に関するデータが記録されている。また、トランザクションデータとして、利用者コードとしての顧客コードとショップコードが記録されている。
【００４８】
上記第１の物流トランザクション３６ａには、例えば、トランザクションデータとして、出荷Ｎｏ．、年月日、商品コード、住所、配送料、代引手数料・・・等の商品取引に関するデータが記録されている。また、トランザクションデータとして、利用者コードとしての顧客コードとショップコードが記録されている。
【００４９】
上記第１の金融トランザクション３７ａには、例えば、トランザクションデータとして、伝票Ｎｏ．、年月日、商品コード、カードＮｏ．、オーソリＮｏ．、金額、結果・・・等の商品取引に関するデータが記録されている。また、トランザクションデータとして、利用者コードとしての顧客コードとショップコードが記録されている。
【００５０】
なお、上記ショップトランザクション３５、第１の物流トランザクション３６ａ、第１の金融トランザクション３７ａは、図では各１つのテーブルのみ示したが、それぞれ複数のテーブルから構成される。
【００５１】
そして、上記データベース検索手段１５は、上記商品マスタ１０、ショップマスタ１１、顧客マスタ１２、ショップトランザクション３５、第１の物流トランザクション３６ａ、第１の金融トランザクション３７ａにそれぞれ記録された情報をデータベース検索して所定の情報を抽出等する。
【００５２】
上記ショップデータ格納部２３は、ショップごとに独立して表領域が異なるよう複数設けられており、ショップごとに商品マスタ１０、ショップマスタ１１、顧客マスタ１２、ショップトランザクション３５、第１の物流トランザクション３６ａ、第１の金融トランザクション３７ａが設けられている。
【００５３】
上記データベース検索手段１５でデータベース検索された情報は、必要に応じてショップ用ウェブサーバ６に出力され、外部記憶装置等のテンプレート格納部１７に格納されたテンプレートとなるデータに対して、ショップ用データベースサーバ７から供給されたデータをはめ込んで、ウェブページ画面が生成される。
【００５４】
図２に戻って説明すると、上記ショップ用ウェブサーバ６は、上記ショップマスタ１１および／または商品マスタ１０をデータベース検索手段１５でデータベース検索することにより抽出された情報に基づいてコンテンツページであるウェブページを自動生成するウェブページ生成手段１６と、上記ウェブページを格納するショップサイト格納部２０とを備えている。
【００５５】
図５は、上記ショップサイト格納部２０の詳細を示す図である。
【００５６】
上記ショップ用ウェブサーバ６は、上記ウェブページ生成手段１６がウェブページを生成する際のテンプレートが格納されるテンプレート格納部１７を備え、上記ウェブページ生成手段１６は、テンプレート格納部１７に格納された所定のテンプレートファイルにデータベース検索手段１５で抽出されたデータを割り当てることにより自動的にウェブページを生成する。ここで、データベース検索手段１５でデータベース検索されるデータは、商品マスタ１０、ショップマスタ１１、顧客マスタ１２に記録されたデータであり、これらの情報が生成されるウェブページに掲載される。
【００５７】
上記ショップサイト格納部２０は、ＨＴＭＬファイル等の静的ファイルからなるウェブページを格納する静的ファイル格納部１８と、Ｊａｖａ（登録商標）やＡＳＰ（Active Server Pages）等による動的ファイルとして生成されたウェブページをキャッシュする動的ファイルキャッシュ部１９とを備えて構成されている。上記静的ファイル格納部１８は具体的には例えばＨＤＤ装置等であり、上記動的ファイルキャッシュ部１９は具体的には例えばメモリ装置等である。
【００５８】
また、上記静的ファイル格納部１８には、当該ショップホームページ４０をはじめ、あらかじめ設けられた既設ぺージと、上述したようにウェブページ生成手段１６で生成されたショップ詳細情報ページ４５、商品詳細情報ページ４６等の新設ページが格納される。上記商品詳細情報ページ４６は、例えば、商品１つにつき１ページ設けることができ、複数のページから構成されている。これらの既設ページや新設ページは、ＨＴＭＬ等のデジタル文書記述言語により記述された文書や画像を含む静的ファイルから構成されている。
【００５９】
上記動的ファイルキャッシュ部１９には、各ショップで取り扱っている商品の一覧を表示するショップ毎の取扱商品一覧ページ４７と、顧客が購入処理を行うための購入処理ページ４８がキャッシュされる。
【００６０】
上記ウェブページ生成手段１６は、上記ショップマスタ１１をデータベース検索手段１５でデータベース検索することにより抽出された情報に基づいて、コンテンツページとしてショップの情報が掲載されたショップ詳細情報ページ４５を生成する。ここで生成されたショップ詳細情報ページ４５は、ＵＲＬの一部となるファイル名が付与されて静的ファイル格納部１８に格納される。
【００６１】
また、上記ウェブページ生成手段１６は、上記商品マスタ１０をデータベース検索手段１５でデータベース検索することにより抽出された情報に基づいて、上記コンテンツページとして各商品の情報が掲載された商品詳細情報ページ４６を静的ファイルとして自動生成する。ここで生成された商品詳細情報ページ４６は、ＵＲＬの一部となるファイル名が付与されて静的ファイル格納部１８に格納される。
【００６２】
上記ウェブページ生成手段１６は、上記商品マスタ１０をデータベース検索手段１５でデータベース検索することにより抽出された情報に基づいて、コンテンツページとして当該ショップにおける取扱い商品の一覧を示す取扱商品一覧ページ４７を動的ファイルとして自動生成する。上記取扱商品一覧ページ４７は、上記ショップ詳細情報ページ４５に設けられたリンクへの操作入力をトリガーとして生成される。あるいは、ショップホームページ４０におけるカテゴリ分類の選択や、検索手段による絞り込みをトリガーとして生成される。ここで生成された動的ファイルである取扱商品一覧ページ４７は、動的ファイルキャッシュ部１９にキャッシュされる。
【００６３】
上記ウェブページ生成手段１６は、上記商品詳細情報ページ４６に設けられたリンクへの操作入力をトリガーとして購入処理ページ４８を動的ファイルとして自動生成する。この購入処理ページ４８は、上記商品詳細情報ページ４６を見た顧客が実際にその商品を購入するための処理を行うページである。ここで生成された動的ファイルである購入処理ページ４８は、動的ファイルキャッシュ部１９にキャッシュされる。
【００６４】
上記ショップサイト格納部２０は１つのショップサイトを格納するものであり、このようなショップサイト格納部２０はショップの数だけ複数設けられている。具体的には、ショップごとに異なるディレクトリで異なるファイルとして格納またはキャッシュされている。
【００６５】
一方、上述したように、上記ショップデータ格納部２３は、１つのショップの業務に必要なマスタテーブルおよびトランザクションテーブルが格納されており、このようなショップデータ格納部２３がショップの数だけ複数設けられている。具体的には、ショップ毎に異なるディレクトリで異なるファイル名が付与されて格納されている。
【００６６】
そして、上記ウェブページ生成手段１６は、あるショップに係るショップデータ格納部２３をデータベース検索手段１５でデータベース検索することにより抽出された情報に基づいて、当該ショップのショップサイトを構成するウェブページを生成し、当該ショップに対応するショップサイト格納部２０に格納またはキャッシュする。
【００６７】
上記ウェブページ生成手段１６は、ショップサイト格納部２０に格納されるショップ詳細情報ページ４５や商品詳細情報ページ４６は、ショップデータ格納部２３のショップマスタ１１や商品マスタ１０に記録されたデータをデータベース検索手段１５で検索し、当該データに基づいてＨＴＭＬ等の静的ファイルを生成して所定のファイル名を付けてショップサイト格納部２０の静的ファイル格納部１８に格納する。
【００６８】
このとき、対応するショップデータ格納部２３とショップサイト格納部２０とは、例えばそれぞれのファイル名で関連付けることが行われ、データベース検索手段１５で検索したショップデータ格納部２３のファイル名に基づいて、ウェブページ生成手段１６で生成した静的ファイルのウェブページを格納すべきショップサイト格納部２０を決定する。
【００６９】
上記ウェブページ生成手段１６は、ショップサイト格納部２０に格納される購入処理ページ４８やショップ毎の取扱商品一覧ページ４７は、ショップデータ格納部２３のショップマスタ１１や商品マスタ１０に記録されたデータをデータベース検索手段１５で検索し、当該データに基づいて動的ファイルを生成して所定のファイル名を付けてショップサイト格納部２０の動的ファイルキャッシュ部１９にキャッシュする。
【００７０】
このとき、対応するショップデータ格納部２３とショップサイト格納部２０とは、例えばそれぞれのファイル名で関連付けることが行われ、データベース検索手段１５で検索したショップデータ格納部２３のファイル名に基づいて、ウェブページ生成手段１６で生成した動的ファイルのディレクトリを決定する。
【００７１】
そして、上記ショップ用データベースサーバ７におけるショップデータ格納部２３および、ショップ用ウェブサーバ６におけるショップサイト格納部２０を、ショップが増加するごとに増設しうるように構成されている。すなわち、既存のショップと異なるディレクトリおよびファイル名でショップデータ格納部２３およびショップサイト格納部２０それぞれの領域を確保すればよいのである。
【００７２】
ここで、上記ウェブページ生成手段１６は、各ショップごとのコンテンツページおよび購入処理ページの表示設定を変更可能に構成されている。具体的には、上記ウェブページ生成手段１６は、生成するウェブページのデザインを複数のテンプレートから選択し、フレームデザイン、色彩、構図、操作ボタンの種類や位置等の変更設定が可能となっている。これにより、ショップごとに所望のデザインにカスタマイズすることが可能となる。
【００７３】
ショップが端末装置５に表示される設定画面で選択した設定をショップごとに記憶しておき、ウェブページ生成手段１６は、データベース検索手段１５で検索したショップデータ格納部２３のショップに対応した設定を読み出してウェブページを生成し、対応するショップサイト格納部２０に格納またはキャッシュする。
【００７４】
上記ショップ用ウェブサーバ６は、上記静的ファイル格納部１８に格納されたＨＴＭＬファイル等の静的ファイル、動的ファイルキャッシュ部１９に格納された動的ファイルを各端末装置５のブラウザ等において表示可能に制御するとともに、各端末装置５に表示された画面で入力され送信されたデータを受け付ける受信制御等を行う表示制御手段２１を備えている。
【００７５】
上記ショップ用ウェブサーバ６は、上記ショップ用データベースサーバ７、静的ファイル格納部１８、動的ファイルキャッシュ部１９、表示制御手段２１等に対するデータ処理を始めとして、本発明の各種機能を実現する動作をつかさどるデータ処理手段２２を備えている。このデータ処理手段２２は、アクセスされた端末装置５に表示されたウェブページ上において、各種の操作・処理を可能とする。これらの動作の詳細は後述する。
【００７６】
図６は、ポータルサーバシステム３を示す機能ブロック図である。
【００７７】
上記ポータル用ウェブサーバ８には、固有のネットワークアドレス（ＵＲＬ）が与えられている。ユーザは、それぞれの端末装置５でこのＵＲＬを指定することにより、ポータル用ウェブサーバ８へアクセスすることができ、上記ＨＴＭＬ（HyperText Markup Language）等のデジタル文書記述言語により記述された文書や画像を含むデータをホームページによる閲覧をしうるようになっている。また、当該ホームページにおいて、必要に応じて文書・画像等のデータや選択入力操作を入力してポータル用ウェブサーバ８に対して送信し、意思決定情報をポータル用ウェブサーバ８に対して送信するようになっている。これらの詳細については後述する。
【００７８】
上記ポータル用ウェブサーバ８には、ショップデータ２６および商品データが格納されたポータルデータ格納部３４と、上記ポータルデータ格納部３４に記録されたデータをデータベース検索するデータベース検索手段２５とを含むポータル用データベースサーバ９が付設されている。
【００７９】
図７は、上記ポータルデータ格納部３４に格納されたショップデータ２６および商品データ２７を示す。
【００８０】
上記ショップデータ２６は、後述するウェブページ生成手段３２でショップ一覧ページ４３を生成するためのショップに関するデータが記録されたテーブルであり、例えば、ショップコード、ショップの名称（店名）、ショップを業種でカテゴリ分けする際の大分類である業種カテゴリ等のショップに関する情報が記録される。
【００８１】
上記商品データ２７は、後述するウェブページ生成手段３２で商品一覧ページ４４を生成するための商品に関するデータが記録されたテーブルであり、例えば、商品コード、当該商品を取り扱うショップのショップコード、商品の名称、商品を業種でカテゴリ分けする際の大分類である業種カテゴリ、商品を商品の種類でカテゴリ分けする際の小分類である商品分類等の商品に関する情報が記録される。
【００８２】
上記ポータル用ウェブサーバ８は、上記ポータルデータ格納部３４をデータベース検索手段２５でデータベース検索することにより抽出されたデータに基づいて上記ショップ一覧ページ４３および／または商品一覧ページ４４を動的ファイルとして自動生成してキャッシュするウェブページ生成手段３２と、上記ウェブページを格納するポータルサイト格納部２９とを備えている。
【００８３】
上記ポータル用ウェブサーバ８は、上記ウェブページ生成手段３２がウェブページを生成する際のテンプレートが格納されるテンプレート格納部３３を備え、上記ウェブページ生成手段３２は、テンプレート格納部３３に格納された所定のテンプレートファイルにデータベース検索手段２５で抽出されたデータを割り当てることにより自動的にウェブページを生成する。ここで、データベース検索手段２５でデータベース検索されるデータは、ショップデータ２６、商品データ２７に格納されたデータであり、これらの情報が生成されるウェブページに掲載される。
【００８４】
上記ポータルサイト格納部２９は、ＨＴＭＬファイル等の静的ファイルからなるウェブページを格納する静的ファイル格納部３１と、Ｊａｖａ（登録商標）やＡＳＰ（Active Server Pages）等による動的ファイルとして生成されたウェブページをキャッシュする動的ファイルキャッシュ部３０とを備えて構成されている。
【００８５】
また、上記静的ファイル格納部３１には、ポータルトップページ４２等のあらかじめ設けられた既設ぺージが格納される。この既設ページは、ＨＴＭＬ等のデジタル文書記述言語により記述された文書や画像を含む静的ファイルから構成されている。
【００８６】
上記ウェブページ生成手段３２は、さらに、上記ショップデータ２６をデータベース検索手段２５で所定の検索条件でデータベース検索することにより抽出された情報に基づいて、抽出されたショップの一覧を表示するショップ一覧ページ４３を動的ファイルとして自動生成する。ここで生成された動的ファイルであるショップ一覧ページ４３は、動的ファイルキャッシュ部３０にキャッシュされる。
【００８７】
上記ウェブページ生成手段３２は、さらに、上記商品データ２７をデータベース検索手段２５で所定の検索条件でデータベース検索することにより抽出された情報に基づいて、抽出された商品の一覧を表示する商品一覧ページ４４を動的ファイルとして自動生成する。ここで生成された動的ファイルである商品一覧ページ４４は、動的ファイルキャッシュ部３０にキャッシュされる。
【００８８】
上記ポータル用ウェブサーバ８は、上記静的ファイル格納部３１に格納されたＨＴＭＬファイル等の静的ファイル、動的ファイルキャッシュ部３０に格納された動的ファイルを各端末装置５のブラウザ等において表示可能に制御するとともに、各端末装置５に表示された画面で入力され送信されたデータを受け付ける受信制御等を行う表示制御手段２８を備えている。
【００８９】
このシステムでは、ショップ用ウェブサーバ６に各ショップサイトが格納されるとともに、上記ポータル用ウェブサーバ８は、上記ショップ用ウェブサーバ６にショップサイトを有するショップが登録するポータルサイトが格納されている。
【００９０】
上記ポータル用ウェブサーバ８に格納されたポータルサイトは、ポータルトップページ４２と、上記ポータルトップページ４２に設けられたリンクおよび／または検索手段を介して端末装置５に表示される動的ファイルとして生成されたショップ一覧ページ４３および商品一覧ページ４４とを備えている。
【００９１】
一方、ショップ用ウェブサーバ６のショップサイト格納部２０に格納されたショップサイトは、静的ファイルとして格納されたショップ詳細情報ページ４５および商品詳細情報ページ４６を備えている。
【００９２】
そして、ポータルサイトの上記ショップ一覧ページ４３のショップ一覧の各表示に対して、ショップサイトのショップ詳細情報ページ４５がリンクされて端末装置５に表示されるようになっている。上記ショップ詳細情報ページ４５は、ショップサイトの一部であり、上述したように、ショップホームページ４０に設けられたリンクおよび／または検索手段を介して端末装置５に表示される。
【００９３】
また、ポータルサイトの上記商品一覧ページ４４の商品一覧の各表示に対して、ショップサイトの商品詳細情報ページ４６がリンクされて端末装置５に表示されるようになっている。上記商品詳細情報ページ４６は、ショップサイトの一部であり、上述したように、ショップホームページ４０および取扱商品一覧ページ４７に設けられたリンクおよび／または検索手段を介して端末装置５に表示される。
【００９４】
図８は、本発明の電子商取引システムにおけるウェブサイトの構成の一例を示す図である。
【００９５】
上記ショップサーバシステム１のショップ用ウェブサーバ６には、１つのショップサイトを格納するショップサイト格納部２０がショップごとに複数設けられている。
【００９６】
上記ショップサイト格納部２０には、当該ショップサイトのショップホームページ４０、当該ショップの詳細情報が掲載されたショップ詳細情報ページ４５、当該ショップにおける取扱い商品の一覧を示すショップ毎の取扱商品一覧ページ４７、当該ショップが取り扱う商品の詳細情報が掲載された商品詳細情報ページ４６、顧客が購入処理を行う購入処理ページ４８が格納されている。
【００９７】
ショップホームページ４０、ショップ詳細情報ページ４５、取扱商品一覧ページ４７、商品詳細情報ページ４６、購入処理ページ４８は、それぞれ顧客が端末装置５のブラウザにおいて、当該ショップサイトに割り当てられたサブドメインを含む固有のＵＲＬを入力することにより、端末装置５の表示装置に表示しうるものである。そして、端末装置５の入力装置において所定のデータ入力や入力操作を行うことにより、サイト内検索、リンク先ページの表示、一覧表示、詳細表示、購入処理等を行いうるようになっている。
【００９８】
上記ショップホームページ４０、ショップ詳細情報ページ４５、商品詳細情報ページ４６は、それぞれＨＴＭＬ文書等の静的ファイルとして格納されている。一方、上記取扱商品一覧ページ４７および購入処理ページ４８は、所定のデータをテンプレートデータにはめ込んで自動生成された動的ファイルとしてキャッシュされたものである。
【００９９】
上記ショップ詳細情報ページ４５および商品詳細情報ページ４６は、端末装置５に表示される当該ショップサイトにおけるショップホームページ４０に設けられたリンクおよび／または検索手段を介して端末装置５に表示されるように構成されている。また、上記取扱商品一覧ページ４７は、上記商品詳細情報ページ４６に対するリンクが設けられるとともに、ショップ詳細情報ページ４５に設けられたリンクを介して端末装置５に表示されるように構成されている。
【０１００】
すなわち、この例では、ショップホームページ４０に設けられたリンクを介してショップホームページ４０からショップ詳細情報ページ４５を表示しうるようになっている。このショップ詳細情報ページ４５は、ショップの詳細情報が掲載されたページである。
【０１０１】
また、上記ショップホームページ４０に設けられたリンクおよび／または検索手段を介して、ショップホームページ４０から取扱商品一覧ページ４７を表示しうるようになっている。また、ショップ詳細情報ページ４５に設けられたリンクおよび／または検索手段を介してショップ詳細情報ページ４５から取扱商品一覧ページ４７を表示しうるようになっている。この取扱商品一覧ページ４７は、当該ショップで扱う全商品の一覧を表示することもできるし、所定の検索条件で絞り込まれた商品の一覧を表示したり、カテゴリー分類されたカテゴリーに属する商品の一覧を表示したりすることもできる。
【０１０２】
さらに、上記ショップホームページ４０に設けられたリンクおよび／または検索手段を介して、ショップホームページ４０から商品詳細情報ページ４６を表示しうるようになっている。また、取扱商品一覧ページ４７に設けられたリンクを介して商品詳細情報ページ４６を表示するようになっている。上記商品詳細情報ページ４６は、商品ごとに１ページ（すなわち１ファイル）ずつ設けることが出来る。
【０１０３】
上記商品詳細情報ページ４６は、上記取扱商品一覧ページ４７を見た顧客がもっと詳しい情報を知りたいときに表示するものである。そして、商品詳細情報ページ４６に設けられたリンクを介して購入処理ページ４８を表示することができる。この購入処理ページ４８は、上記商品詳細情報ページ４６を見た顧客が実際にその商品を購入するための処理を行うページであり、具体的には、買い物かご機能、決済情報入力機能、配送先入力機能等の購入処理に必要な機能を実現するものである。
【０１０４】
上記ポータルサーバシステム３のポータル用ウェブサーバ８には、ポータルサイトとして、当該ポータルサイトのポータルトップページ４２、当該ポータルサイトに登録しているショップの一覧を表示するショップ一覧ページ４３、当該ポータルサイトに登録している各ショップにおいて扱われる商品の一覧を表示する商品一覧ページ４４が格納されている。
【０１０５】
このように、上記ポータル用ウェブサーバ８に存在するポータルサイトは、ウェブショップの実体としてのショップの詳細情報やショップで取り扱う商品の詳細情報、購入処理を行うページが存在するのではなく、ポータルトップページ４２と、このポータルトップページ４２にリンクおよび／または検索により端末装置５に表示されるショップ一覧ページ４３および商品一覧ページ４４が存在するだけである。そして、ショップ一覧ページ４３はショップサイトのショップ詳細情報ページ４５にリンクされ、商品一覧ページ４４はショップサイトの商品詳細情報ページ４６にリンクされている。
【０１０６】
すなわち、上記ポータルサイトは、いわゆる仮想モールとしての機能を有するのではなく、ショップサイトへの入口として機能するものである。
【０１０７】
上記ショップ一覧ページ４３は、上記ショップ用ウェブサーバ６にショップサイトが格納されたショップのうち当該ポータルサイトに登録したショップのショップ一覧情報が掲載される。上記商品一覧ページ４４は、当該ポータルサイトに登録したショップが取り扱う商品の一覧情報が掲載される。そして、上記ショップ一覧ページ４３および商品一覧ページ４４は、上記ポータルサイトのポータルトップページ４２に設けられたリンクおよび／または検索手段を介して上記端末装置５に表示されうるように構成されている。
【０１０８】
すなわち、この例では、ポータルトップページ４２に設けられたリンクおよび／または検索手段を介してポータルトップページ４２からショップ一覧ページ４３を表示しうるようになっている。また、ポータルトップページ４２に設けられたリンクおよび／または検索手段を介してポータルトップページ４２から商品一覧ページ４４を表示しうるようになっている。
【０１０９】
上記ショップ一覧ページ４３は、当該ポータルサイトに登録されているショップ全てのショップ一覧を表示することもできるし、当該ポータルサイトに登録されているショップ全体から、所定の検索条件もしくはカテゴリ分類等により絞り込まれ抽出されたショップの一覧を表示することもできる。この場合、種々の抽出条件により絞り込まれたショップの一覧を表示するため、後述するように、上記ショップ一覧ページ４３は自動生成された動的ファイルをキャッシュする。
【０１１０】
上記商品一覧ページ４４は、当該ポータルサイトに登録されているショップで扱う全ての商品一覧を表示することもできるし、全ショップの取扱商品全体から、所定の検索条件もしくはカテゴリ分類等により絞り込まれ抽出された商品の一覧を表示することもできる。この場合、種々の抽出条件により絞り込まれた商品の一覧を表示するため、後述するように、上記商品一覧ページ４４は自動生成された動的ファイルをキャッシュする。
【０１１１】
そして、このシステムでは、ショップ用ウェブサーバ６における各ショップサイト格納部２０に格納された各ショップサイトと、ポータル用ウェブサーバ８に格納されたポータルサイトとの間にリンクが形成されている。
【０１１２】
すなわち、各ショップサイト格納部２０に格納されたショップ詳細情報ページ４５および商品詳細情報ページ４６は、端末装置５に表示される当該ショップサイトにおけるショップホームページ４０に設けられたリンクおよび／または検索手段を介して端末装置５に表示されるように構成されるとともに、ポータル用ウェブサーバ８に格納されたポータルサイトのポータルトップページ４２に設けられたリンクおよび／または検索手段を介して上記端末装置５に表示されるように構成されている。
【０１１３】
詳しく説明すると、上記ショップ詳細情報ページ４５は、ポータルトップページ４２に設けられたリンクおよび／または検索手段を介して上記端末装置５に表示されるショップ一覧ページ４３に設けられたリンクを介して上記端末装置５に表示されるように構成されている。上記ショップ一覧ページ４３には複数のショップの一覧が表示され、各ショップの表示は、上記各ショップに対応するショップサイト格納部２０に格納されたショップ詳細情報ページ４５にリンクされている。
【０１１４】
また、上記商品詳細情報ページ４６は、ポータルトップページ４２に設けられたリンクおよび／または検索手段を介して上記端末装置５に表示される商品一覧ページ４４に設けられたリンクを介して上記端末装置５に表示されるように構成されている。上記商品一覧ページ４４には、複数の商品の一覧が表示されるが、これらの商品は複数のショップで扱うものを含んでおり、各商品の表示には当該商品を取り扱うショップの情報が含まれている。このように、上記商品一覧ページ４４に表示される商品の一覧は、複数のショップで取り扱う商品を含んでいるため、各商品の表示は、当該商品を取り扱っているショップのショップサイト格納部２０に格納された商品詳細情報ページ４６にリンクされている。
【０１１５】
また、上記ショップ詳細情報ページ４５および商品詳細情報ページ４６は、ＨＴＭＬ文書等の静的ファイルから構成されるため、ウェブ上の検索エンジン４の巡回対象となり、ショップ詳細情報ページ４５および商品詳細情報ページ４６に用いられたキーワードを検索エンジンに入力して検索を実行することにより、当該ショップ詳細情報ページ４５および商品詳細情報ページ４６が検索エンジン４でヒットするようになっている。
【０１１６】
つぎに、上記ショップ一覧ページ４３に対してショップ詳細情報ページ４５のリンクを形成する構成および、上記商品一覧ページ４４に対して商品詳細情報ページ４６のリンクを形成する構成について説明する。
【０１１７】
まず、ショップ詳細情報ページ４５は、ショップマスタ１１に記録されたデータをデータベース検索手段１５で検索し、当該データに基づいてＨＴＭＬ等の静的ファイルを生成して所定のファイル名を付けて静的ファイル格納部１８に格納する。このときのファイル名として、たとえば、当該ショップのショップコードを付与することが行われる。このとき、このショップ詳細情報ページ４５のＷＷＷ上のＵＲＬは、ショップサイトのＵＲＬに、上記ファイル名が付加されたものとなる。
【０１１８】
例えば、ショップサイトのＵＲＬが例えば「http://www.shop1.co.jp」で、当該ショップサイトで生成されたショップ詳細情報ページ４５の静的ファイルのファイル名（すなわちショップコード）が「s0001」であった場合、このショップサイトにおけるショップ詳細情報ページ４５のＵＲＬは例えば「http://www.shop1.co.jp/s0001.html」となる。
【０１１９】
つぎに、ショップ一覧ページ４３は、ポータルデータ格納部３４に格納されたショップデータ２６をデータベース検索手段２５で検索し、当該データに基づいて検索抽出結果の動的ファイルを生成して動的ファイルキャッシュ部３０にキャッシュする。このとき、データベース検索手段２５からショップコードを読み出して、ショップサイトのＵＲＬと組み合わせてショップ詳細情報ページ４５のＵＲＬを生成し、検索抽出結果のショップ一覧ページ４３における各ショップの表示に対してリンクを設けておくのである。
【０１２０】
例えば、上述した例で、ショップサイトのＵＲＬが例えば「http://www.shop1.co.jp」で、ショップコードが「s0001」であった場合、このショップサイトにおけるショップ詳細情報ページ４５のＵＲＬとして例えば「http://www.shop1.co.jp/s0001.html」を生成し、検索抽出結果のショップ一覧ページ４３における各ショップの表示に対してリンクさせることが行われる。
【０１２１】
このようにすることにより、端末装置５においてポータルサイトのショップ一覧ページ４３に表示されたショップの表示をクリックすることにより、ショップサイトのショップ詳細情報ページ４５が端末装置５に表示されるのである。
【０１２２】
つぎに、商品一覧ページ４４は、商品マスタ１０に記録されたデータをデータベース検索手段１５で検索し、当該データに基づいてＨＴＭＬ等の静的ファイルを生成して所定のファイル名を付けて静的ファイル格納部１８に格納する。このときのファイル名として、たとえば、当該ショップのショップコードと商品の商品コードの組み合わせを付与することが行われる。このとき、このショップ詳細情報ページ４５のＷＷＷ上のＵＲＬは、ショップサイトのＵＲＬに、上記ファイル名が付加されたものとなる。
【０１２３】
例えば、ショップコードが「s0001」商品コードが「g0001」であった場合、当該ショップサイトで生成された商品詳細情報ページ４６の静的ファイルのファイル名（すなわちショップコード＋商品コード）は「s0001g0001」とされる。そして、ショップサイトのＵＲＬが例えば「http://www.shop1.co.jp」であれば、このショップサイトにおけるショップ詳細情報ページ４５のＵＲＬは例えば「http://www.shop1.co.jp/s0001g0001.html」となる。
【０１２４】
つぎに、商品一覧ページ４４は、ポータルデータ格納部３４に格納された商品データ２７をデータベース検索手段２５で検索し、当該データに基づいて検索抽出結果の動的ファイルを生成して動的ファイルキャッシュ部３０にキャッシュする。このとき、データベース検索手段２５からショップコードおよび商品コードを読み出して、ショップサイトのＵＲＬと組み合わせて商品詳細情報ページ４６のＵＲＬを生成し、検索抽出結果の商品一覧ページ４４における各商品の表示に対してリンクを設けておくのである。
【０１２５】
例えば、上述した例で、ショップサイトのＵＲＬが例えば「http://www.shop1.co.jp」で、ショップコードが「s0001」、商品コードが「g0001」であった場合、このショップサイトにおけるショップ詳細情報ページ４５のＵＲＬとして例えば「http://www.shop1.co.jp/s0001g0001.html」を生成し、検索抽出結果の商品一覧ページ４４における各商品の表示に対してリンクさせることが行われる。
【０１２６】
このようにすることにより、端末装置５においてポータルサイトの商品一覧ページ４４に表示された商品の表示をクリックすることにより、ショップサイトの商品詳細情報ページ４６が端末装置５に表示されるのである。
【０１２７】
ショップサイトにおいて、ショップ毎の取扱商品一覧ページ４７を動的ファイルとして生成し、商品詳細情報ページ４６にリンクさせる場合も同様に、商品コードをファイル名として付与し、商品コードを付加したＵＲＬを生成してリンクを設けることが行われる。
【０１２８】
さらに、ショップサイトにおいて、ショップホームページ４０からショップ詳細情報ページ４５へのリンクを形成したり、ショップホームページ４０から商品詳細情報ページ４６へのリンクを形成する場合も同様に、商品コードをファイル名として付与し、商品コードを付加したＵＲＬを生成してリンクを設けることが行われる。
【０１２９】
上記ショップ詳細情報ページ４５および商品詳細情報ページ４６は、それぞれＨＴＭＬ文書等からなる静的ファイルであることから、検索エンジン４での検索対象として登録される。例えば、ロボット型の検索エンジン４では、インターネット２経由で閲覧可能な状態に公開されたウェブページを定期的に自動巡回して検索対象として登録し、所望のキーワードを入力して検索することにより登録したウェブページを抽出し、検索キーワードとの関連性が高いウェブページから所定の順位で端末装置５のブラウザに表示することが行われる。このようにして、上記ショップ詳細情報ページ４５および商品詳細情報ページ４６が検索エンジン４での検索対象として登録されるのである。なお、検索エンジン４への登録は手動による登録が行われる場合もある。
【０１３０】
また、ポータルサイトのショップ一覧ページ４３と商品一覧ページ４４、ショップサイトの取扱商品一覧ページ４７、購入処理ページ４８は、データベース検索による抽出条件その他の条件により、表示する内容がそのつど変わりうるものであるため、静的ファイルとして格納するのではなく、上述したように、そのつど動的ファイルとして生成し、動的ファイルキャッシュ部３０にキャッシュされる。
【０１３１】
端末装置５を操作する顧客が当該ポータルサイトに登録されたウェブショップで商品を購入するときは、つぎの１〜４の方法により商品詳細情報にアクセスして購入処理を行うことができる。
【０１３２】
第１の方法は、当該ショップ自身のショップホームページ４０から、ショップ詳細情報ページ４５に進み、さらに当該ショップでの取扱商品一覧ページ４７に進み、そこから商品詳細情報ページ４６を表示させ、購入の意思があれば商品詳細情報ページ４６から購入処理ページ４８に進んで購入処理を実行する方法である。
【０１３３】
第２の方法は、ポータルサイトのポータルトップページ４２からショップ一覧ページ４３を表示し、さらにショップ詳細情報ページ４５に進み、さらに当該ショップでの取扱商品一覧ページ４７に進み、そこから商品詳細情報ページ４６を表示させ、購入の意思があれば商品詳細情報ページ４６から購入処理ページ４８に進んで購入処理を実行する方法である。
【０１３４】
第３の方法は、ポータルサイトのポータルトップページ４２から商品一覧ページ４４を表示し、さらに商品詳細情報ページ４６に進み、購入の意思があれば商品詳細情報ページ４６から購入処理ページ４８に進んで購入処理を実行する方法である。
【０１３５】
第４の方法は、検索エンジン４において購入希望の商品に関する所望の検索キーワードや、利用したいショップに関する所望の検索キーワードを入力して検索することにより、検索エンジン４での検索対象として登録されたショップ詳細情報ページ４５を検索により抽出し、検索エンジン４に表示されたリンクからショップ詳細情報ページ４５を表示させ、さらに当該ショップでの取扱商品一覧ページ４７に進み、そこから商品詳細情報ページ４６を表示させ、購入の意思があれば商品詳細情報ページ４６から購入処理ページ４８に進んで購入処理を実行する方法である。
【０１３６】
同様に、検索エンジン４において購入希望の商品に関する所望の検索キーワードや、利用したいショップに関する所望の検索キーワードを入力して検索することにより、検索エンジン４での検索対象として登録された商品詳細情報ページ４６を検索により抽出し、検索エンジン４に表示されたリンクから商品詳細情報ページ４６を表示させ、購入の意思があれば商品詳細情報ページ４６から購入処理ページ４８に進んで購入処理を実行する方法である。
【０１３７】
図９は、本発明のシステムにおいて、各ウェブページを順次表示して商品の購入を行う購入処理ページ４８に至る過程を図示した一例であり、上述した第１の方法〜第４の方法をそれぞれ説明する。
【０１３８】
（第１の方法）
まず、商品購入者は、インターネット２に接続された端末装置５で所定のＵＲＬを指定してショップ用ウェブサーバ６に接続し、ショップホームページ４０を端末装置５に表示させる。上記ショップホームページ４０は、上記ポータルサイトに登録しているショップ独自のホームページである。上記ショップホームページ４０には、ショップ詳細情報ページ４５に対するリンクが設けられており、上記リンクをクリックすることにより、ショップ詳細情報ページ４５が端末装置５に表示される。
【０１３９】
このショップ詳細情報ページ４５には、当該ショップで取り扱う商品の商品分類の一覧が表示されている。上記ショップ詳細情報ページ４５に表示された各商品分類は、当該ショップで取り扱う当該商品分類の商品の一覧を表示する取扱商品一覧ページ４７へのリンクに構成されている。このリンクのクリックをトリガーとして、上記商品マスタ１０をデータベース検索手段１５でデータベース検索することにより、当該ショップで取り扱う当該商品分類の商品を抽出し、抽出された情報に基づいて取扱商品一覧ページ４７を動的ファイルとして自動生成してキャッシュし、端末装置５に表示する。
【０１４０】
上記取扱商品一覧ページ４７には、当該ショップにおける当該商品分類の取扱商品の一覧が表示されている。各商品の表示には、それぞれの商品の商品詳細情報ページ４６を構成する静的ファイルへのリンクが設けられている。したがって、上記取扱商品一覧ページ４７に一覧表示された商品表示のいずれかをクリックすると、当該商品の商品詳細情報ページ４６が端末装置５に表示される。
【０１４１】
上記商品詳細情報ページ４６には、当該商品の詳細情報が表示されるとともに、購入処理ページ４８へのリンクが設けられており、上記リンクをクリックすることにより、購入処理ページ４８が端末装置５に表示されて購入処理を実行可能となる。
【０１４２】
（第２の方法）
まず、商品購入者は、インターネット２に接続された端末装置５で所定のＵＲＬを指定してポータル用ウェブサーバ８に接続すると、まず、ポータルトップページ４２が端末装置５に表示される。上記ポータルトップページ４２には、当該ポータルサイトに登録しているショップを検索するショップ検索部が設けられ、入力ボックスに所望のキーワードを入力して検索ボタンをクリックすることにより、データベース検索で抽出されたショップの一覧を表示するショップ一覧ページ４３が表示される。
【０１４３】
このとき、上記キーワードとしては、例えば、店名や業種カテゴリ、取扱商品分類、商品名等が入力され、検索ボタンのクリックにより入力されたキーワードがポータル用ウェブサーバ８からポータル用データベースサーバ９に送信され、データベース検索手段２５によりショップデータ２６が検索される。ここで抽出されたショップのデータに基づいて、ウェブページ生成手段３２により、ショップ一覧ページ４３が動的ファイルとして生成されてキャッシュされる。
【０１４４】
ついで、このショップ一覧ページ４３には、ショップ名の一覧が表示されており、各ショップ名の表示には、それぞれのショップのショップ詳細情報ページ４５を構成する静的ファイルへのリンクが設けられている。したがって、上記ショップ一覧ページ４３に一覧表示されたショップ名のいずれかをクリックすると、当該ショップサイトにおけるショップ詳細情報ページ４５が端末装置５に表示される。
【０１４５】
このショップ詳細情報ページ４５には、当該ショップで取り扱う商品の商品分類の一覧が表示されている。この例では、パソコンショップの例を示しており、商品分類として「デスクトップ」「ノート」等の分類が表示されたものを例示している。上記ショップ詳細情報ページ４５に表示された各商品分類は、当該ショップで取り扱う当該商品分類の商品の一覧を表示する取扱商品一覧ページ４７へのリンクに構成されている。このリンクのクリックをトリガーとして、上記商品マスタ１０をデータベース検索手段１５でデータベース検索することにより、当該ショップで取り扱う当該商品分類の商品を抽出し、抽出された情報に基づいて取扱商品一覧ページ４７を動的ファイルとして自動生成してキャッシュし、端末装置５に表示する。
【０１４６】
上記取扱商品一覧ページ４７には、当該ショップにおける当該商品分類の取扱商品の一覧が表示されている。各商品の表示には、それぞれの商品の商品詳細情報ページ４６を構成する静的ファイルへのリンクが設けられている。したがって、上記取扱商品一覧ページ４７に一覧表示された商品表示のいずれかをクリックすると、当該商品の商品詳細情報ページ４６が端末装置５に表示される。
【０１４７】
上記商品詳細情報ページ４６には、当該商品の詳細情報が表示されるとともに、購入処理ページ４８へのリンクが設けられており、上記リンクをクリックすることにより、購入処理ページ４８が端末装置５に表示されて購入処理を実行可能となる。
【０１４８】
（第３の方法）
まず、上記同様に端末装置５にポータルトップページ４２を表示する。上記ポータルトップページ４２には、当該ポータルサイトに登録している多数のショップが取り扱う商品を検索する商品検索部が設けられ、入力ボックスに所望のキーワードを入力して検索ボタンをクリックすることにより、データベース検索で抽出された商品の一覧を表示する商品一覧ページ４４が表示される。
【０１４９】
このとき、上記キーワードとしては、例えば、業種カテゴリ、取扱商品分類、商品名、店名等が入力され、検索ボタンのクリックにより入力されたキーワードがポータル用ウェブサーバ８からポータル用データベースサーバ９に送信され、データベース検索手段２５により商品データ２７が検索される。ここで抽出された商品のデータに基づいて、ウェブページ生成手段３２により、商品一覧ページ４４が動的ファイルとして生成されてキャッシュされる。
【０１５０】
ついで、この商品一覧ページ４４には、商品名の一覧が表示されており、各商品名の表示には、当該商品を扱っているショップサイトにおける当該商品の商品詳細情報ページ４６を構成する静的ファイルへのリンクが設けられている。したがって、上記商品一覧ページ４４に一覧表示された商品名のいずれかをクリックすると、当該商品の商品詳細情報ページ４６が端末装置５に表示される。
【０１５１】
上記商品詳細情報ページ４６には、当該商品の詳細情報が表示されるとともに、購入処理ページ４８へのリンクが設けられており、上記リンクをクリックすることにより、購入処理ページ４８が端末装置５に表示されて購入処理を実行可能となる。
【０１５２】
（第４の方法）
まず、商品購入者は、インターネット２に接続された端末装置５で所定のＵＲＬを指定し、検索エンジン４に接続し、検索画面を端末装置５に表示させる。検索エンジン４において購入希望の商品に関する所望の検索キーワードや、利用したいショップに関する所望の検索キーワードを入力して検索することにより、検索エンジン４での検索対象として登録されたショップ詳細情報ページ４５を検索により抽出し、検索エンジン４に表示されたリンクからショップサイトのショップ詳細情報ページ４５を表示させる。ショップ詳細情報ページ４５を端末装置５に表示させたあとは、上述した第１および第２の方法と同様であり、当該ショップでの取扱商品一覧ページ４７に進み、そこから商品詳細情報ページ４６を表示させ、購入の意思があれば商品詳細情報ページ４６から購入処理ページ４８に進んで購入処理を実行する。
【０１５３】
また、検索エンジン４において購入希望の商品に関する所望の検索キーワードや、利用したいショップに関する所望の検索キーワードを入力して検索することにより、検索エンジン４での検索対象として登録された商品詳細情報ページ４６を検索により抽出し、検索エンジン４に表示されたリンクからショップサイトの商品詳細情報ページ４６を表示させる。商品詳細情報ページ４６を端末装置５に表示させたあとは、上述した第１および第２の方法と同様であり、購入の意思があれば商品詳細情報ページ４６から購入処理ページ４８に進んで購入処理を実行する。
【０１５４】
このように、ポータルサイトに登録しているショップのショップ詳細情報ページ４５や、商品詳細情報ページ４６へのアクセスが、ショップホームページ４０を経由したアクセスに加えて、ポータルトップページ４２を経由したアクセス、検索エンジン４経由でのアクセスと３通りのアクセス経路を有することとなり、効率的な集客を行うことができる。
【０１５５】
図１０は、物流サーバシステム６３を示す機能ブロック図である。
【０１５６】
上記物流用ウェブサーバ６１には、固有のネットワークアドレス（ＵＲＬ）が与えられている。ユーザは、それぞれの端末装置５でこのＵＲＬを指定することにより、物流用ウェブサーバ６１へアクセスすることができ、上記ＨＴＭＬ（HyperText Markup Language）等のデジタル文書記述言語により記述された文書や画像を含むデータをホームページによる閲覧をしうるようになっている。また、当該ホームページにおいて、必要に応じて文書・画像等のデータや選択入力操作を入力して物流用ウェブサーバ６１に対して送信し、意思決定情報を物流用ウェブサーバ６１に対して送信するようになっている。これらの詳細については後述する。
【０１５７】
上記物流用ウェブサーバ６１には、物流用データベースサーバ６２が付設されている。上記物流用データベースサーバ６２は、本発明の業者データベースサーバの一態様として機能するものであり、物流業者の業務に必要なデータが格納された物流データ格納部５３と、物流データ格納部５３に記録されたデータをデータベース検索するデータベース検索手段５１とを含む。上記物流データ格納部５３には、当該物流業者と上記ショップとの間の業務において必要な物流マスタデータが記録された物流マスタ格納部５２と、ショップと物流業者の間の業務におけるトランザクションデータが記録された業者用業務トランザクションとしての第２の物流トランザクション３６ｂとが格納されている。
【０１５８】
図１１は、上記物流データ格納部５３に格納された物流マスタおよび第２の物流トランザクション３６ｂを示す。
【０１５９】
物流マスタは、例えば、配送方法に関するデータが記録された配送方法テーブル５４ａ、配送料に関するデータが記録された配送料テーブル５４ｂ、代引手数料に関するデータが記録された代引手数料テーブル５４ｃ、時間帯に関するデータが記録された時間帯テーブル５４ｄ等の複数のテーブルから構成されている。
【０１６０】
上記第２の物流トランザクション３６ｂには、例えば、トランザクションデータとして、集荷Ｎｏ．、年月日、商品コード、住所、配送料、代引手数料・・・等の商品取引に関するデータが記録されている。また、トランザクションデータとして、利用者コードとしての顧客コードとショップコードが記録されている。なお、上記第２の物流トランザクション３６ｂは、図では１つのテーブルのみ示したが、複数のテーブルから構成される。
【０１６１】
上記物流用ウェブサーバ６１は、上記物流データ格納部５３をデータベース検索手段５１でデータベース検索することにより抽出されたデータに基づいて、物流業務の遂行を可能とするウェブページを自動生成して格納またはキャッシュするウェブページ生成手段５５と、上記ウェブページを格納する物流サイト格納部５６とを備えている。
【０１６２】
上記物流用ウェブサーバ６１は、上記ウェブページ生成手段５５がウェブページを生成する際のテンプレートが格納されるテンプレート格納部５７を備え、上記ウェブページ生成手段５５は、テンプレート格納部５７に格納された所定のテンプレートファイルにデータベース検索手段５１で抽出されたデータを割り当てることにより自動的にウェブページを生成する。ここで、データベース検索手段５１でデータベース検索されるデータは、物流データ格納部５３に格納されたデータであり、これらの情報が生成されるウェブページに掲載される。
【０１６３】
上記物流サイト格納部５６は、ＨＴＭＬファイル等の静的ファイルからなるウェブページを格納する静的ファイル格納部５８と、Ｊａｖａ（登録商標）やＡＳＰ（Active Server Pages）等による動的ファイルとして生成されたウェブページをキャッシュする動的ファイルキャッシュ部５９とを備えて構成されている。
【０１６４】
また、上記静的ファイル格納部５８には、トップページ等のあらかじめ設けられた既設ぺージが格納される。この既設ページは、ＨＴＭＬ等のデジタル文書記述言語により記述された文書や画像を含む静的ファイルから構成されている。
【０１６５】
上記ウェブページ生成手段５５は、さらに、上記物流データ格納部５３をデータベース検索手段５１で所定の検索条件でデータベース検索することにより抽出された情報に基づいてウェブページを動的ファイルとして自動生成する。ここで生成された動的ファイルは、動的ファイルキャッシュ部５９にキャッシュされる。
【０１６６】
上記物流用ウェブサーバ６１は、上記静的ファイル格納部５８に格納されたＨＴＭＬファイル等の静的ファイル、動的ファイルキャッシュ部５９に格納された動的ファイルを各端末装置５のブラウザ等において表示可能に制御するとともに、各端末装置５に表示された画面で入力され送信されたデータを受け付ける受信制御等を行う表示制御手段６０を備えている。
【０１６７】
また、上記物流用ウェブサーバ６１は、上記物流用データベースサーバ６２、静的ファイル格納部５８、動的ファイルキャッシュ部５９、表示制御手段６０等に対するデータ処理を始めとして、本発明の各種機能を実現する動作をつかさどるデータ処理手段６９を備えている。このデータ処理手段６９は、アクセスされた端末装置５に表示されたウェブページ上において、トランザクションデータの更新等の各種の操作・処理を可能とする。これらの動作の詳細は後述する。
【０１６８】
また、上記物流用ウェブサーバ６１は、当該物流用ウェブサーバ６１に対してアクセスしてきた端末装置５に対してＩＤやパスワードの入力を促してログイン認証を行う認証手段７０を備えている。この認証手段７０で認証された端末装置５に対してのみトランザクションデータの閲覧や更新処理等の各種データ処理が許可される。
【０１６９】
そして、物流用ウェブサーバ６１においてログイン認証された端末装置５に対して、物流用データベースサーバ６２へのアクセスを許可するとともに、ショップ用データベースサーバ７へのアクセスを許可するように構成されている。そして、物流用ウェブサーバ６１においてログイン認証された端末装置５において、物流用データベースサーバ６２でのトランザクションデータのデータ処理を許可するとともに、ショップ用データベースサーバ７でのトランザクションデータのデータ処理を許可するようになっている。
【０１７０】
図１２は、金融サーバシステム６６を示す機能ブロック図である。
【０１７１】
上記金融用ウェブサーバ６４には、固有のネットワークアドレス（ＵＲＬ）が与えられている。ユーザは、それぞれの端末装置５でこのＵＲＬを指定することにより、金融用ウェブサーバ６４へアクセスすることができ、上記ＨＴＭＬ（HyperText Markup Language）等のデジタル文書記述言語により記述された文書や画像を含むデータをホームページによる閲覧をしうるようになっている。また、当該ホームページにおいて、必要に応じて文書・画像等のデータや選択入力操作を入力して金融用ウェブサーバ６４に対して送信し、意思決定情報を金融用ウェブサーバ６４に対して送信するようになっている。これらの詳細については後述する。
【０１７２】
上記金融用ウェブサーバ６４には、金融用データベースサーバ６５が付設されている。上記金融用データベースサーバ６５は、本発明の業者データベースサーバの一態様として機能するものであり、金融業者の業務に必要なデータが格納された金融データ格納部７１と、金融データ格納部７１に記録されたデータをデータベース検索するデータベース検索手段７２とを含む。上記金融データ格納部７１には、当該金融業者と上記ショップとの間の業務において必要な金融マスタデータが記録された金融マスタ格納部７３と、ショップと金融業者の間の業務におけるトランザクションデータが記録された業者用業務トランザクションとしての第２の金融トランザクション３７ｂとが格納されている。
【０１７３】
図１３は、上記金融データ格納部７１に格納された金融マスタおよび第２の金融トランザクション３７ｂを示す。
【０１７４】
金融マスタは、例えば、カード会社に関するデータが記録されたカード会社テーブル７４ａ、カード代行会社に関するデータが記録されたカード代行会社テーブル７４ｂ、支払い区分に関するデータが記録された支払い区分テーブル７４ｃ等の複数のテーブルから構成されている。
【０１７５】
上記第２の金融トランザクション３７ｂには、例えば、トランザクションデータとして、伝票Ｎｏ．、年月日、商品コード、カードＮｏ．、オーソリＮｏ．、金額、結果・・・等の商品取引に関するデータが記録されている。また、トランザクションデータとして、利用者コードとしての顧客コードとショップコードが記録されている。なお、上記第２の金融トランザクション３７ｂは、図では１つのテーブルのみ示したが、複数のテーブルから構成される。
【０１７６】
上記金融用ウェブサーバ６４は、上記金融データ格納部７１をデータベース検索手段７２でデータベース検索することにより抽出されたデータに基づいて、金融業務の遂行を可能とするウェブページを自動生成して格納またはキャッシュするウェブページ生成手段７５と、上記ウェブページを格納する金融サイト格納部７６とを備えている。
【０１７７】
上記金融用ウェブサーバ６４は、上記ウェブページ生成手段７５がウェブページを生成する際のテンプレートが格納されるテンプレート格納部７７を備え、上記ウェブページ生成手段７５は、テンプレート格納部７７に格納された所定のテンプレートファイルにデータベース検索手段７２で抽出されたデータを割り当てることにより自動的にウェブページを生成する。ここで、データベース検索手段７２でデータベース検索されるデータは、金融データ格納部７１に格納されたデータであり、これらの情報が生成されるウェブページに掲載される。
【０１７８】
上記金融サイト格納部７６は、ＨＴＭＬファイル等の静的ファイルからなるウェブページを格納する静的ファイル格納部７８と、Ｊａｖａ（登録商標）やＡＳＰ（Active Server Pages）等による動的ファイルとして生成されたウェブページをキャッシュする動的ファイルキャッシュ部７９とを備えて構成されている。
【０１７９】
また、上記静的ファイル格納部７８には、トップページ等のあらかじめ設けられた既設ぺージが格納される。この既設ページは、ＨＴＭＬ等のデジタル文書記述言語により記述された文書や画像を含む静的ファイルから構成されている。
【０１８０】
上記ウェブページ生成手段７５は、さらに、上記金融データ格納部７１をデータベース検索手段７２で所定の検索条件でデータベース検索することにより抽出された情報に基づいてウェブページを動的ファイルとして自動生成する。ここで生成された動的ファイルは、動的ファイルキャッシュ部７９にキャッシュされる。
【０１８１】
上記金融用ウェブサーバ６４は、上記静的ファイル格納部７８に格納されたＨＴＭＬファイル等の静的ファイル、動的ファイルキャッシュ部７９に格納された動的ファイルを各端末装置５のブラウザ等において表示可能に制御するとともに、各端末装置５に表示された画面で入力され送信されたデータを受け付ける受信制御等を行う表示制御手段８０を備えている。
【０１８２】
また、上記金融用ウェブサーバ６４は、上記金融用データベースサーバ６５、静的ファイル格納部７８、動的ファイルキャッシュ部７９、表示制御手段８０等に対するデータ処理を始めとして、本発明の各種機能を実現する動作をつかさどるデータ処理手段８１を備えている。このデータ処理手段８１は、アクセスされた端末装置５に表示されたウェブページ上において、トランザクションデータの更新等の各種の操作・処理を可能とする。これらの動作の詳細は後述する。
【０１８３】
また、上記金融用ウェブサーバ６４は、当該金融用ウェブサーバ６４に対してアクセスしてきた端末装置５に対してＩＤやパスワードの入力を促してログイン認証を行う認証手段８２を備えている。この認証手段８２で認証された端末装置５に対してのみトランザクションデータの閲覧や更新処理等の各種データ処理が許可される。
【０１８４】
そして、金融用ウェブサーバ６４においてログイン認証された端末装置５に対して、金融用データベースサーバ６５へのアクセスを許可するとともに、ショップ用データベースサーバ７へのアクセスを許可するように構成されている。そして、金融用ウェブサーバ６４においてログイン認証された端末装置５において、金融用データベースサーバ６５でのトランザクションデータのデータ処理を許可するとともに、ショップ用データベースサーバ７でのトランザクションデータのデータ処理を許可するようになっている。
【０１８５】
図１４は、上記ショップ用データベースサーバ７、物流用データベースサーバ６２、金融用データベースサーバ６５により構成されるイントラネット６７の構成を説明する機能ブロック図である。
【０１８６】
ショップ用データベースサーバ７におけるデータ更新に応じて、物流用データベースサーバ６２および金融用データベースサーバ６５における上記データ更新に対応したデータが更新されるように構成されている。
【０１８７】
まず、上記ショップ用データベースサーバ７において、ショップトランザクション３５のデータ更新に応じて、第１の物流トランザクション３６ａおよび第１の金融トランザクション３７ａにおける上記データ更新に対応したデータが更新されるように構成されている。なお、本発明においてデータ更新には、アップデート、インサート、デリートのいずれも含む趣旨である。
【０１８８】
すなわち、ショップトランザクション３５を構成するテーブルにおいて、更新が予定されるセル毎にトリガーが設けられており、そのセルが更新されると、第１の物流トランザクション３６ａおよび第１の金融トランザクション３７ａの対応するデータに係るセルのデータを書き換える。データ更新の種類が、アップデート、インサート、デリートのいずれかによってつぎのデータ更新する場所が異なる場合があるので、データの種類およびデータ更新の種類に応じてどのテーブルのどのセルのデータを書き換えに行くかがプログラミングされており、１つのセルのデータ更新により複数のセルのデータ更新を行う場合もある。
【０１８９】
まず、ショップ用データベースサーバ６のデータ処理手段２２により、ショップトランザクション３５のデータ更新を行うと、データ処理手段２２からショップデータベースサーバ７に対してデータ更新処理の開始指令が出力されるとともに、ショップ用ウェブサーバ６のデータ処理手段２２により、ショップトランザクション３５の所望のテーブルの所望のセルに対するデータ更新が行われる。
【０１９０】
つぎに、上記ショップ用データベースサーバ７における第１の物流トランザクション３６ａのデータ更新に応じて、物流用データベースサーバ６２の第２の物流トランザクション３６ｂにおける上記データ更新に対応したデータが更新される。このとき、データ更新の種類が、アップデート、インサート、デリートのいずれかによってつぎのデータ更新する場所が異なる場合があるので、データの種類およびデータ更新の種類に応じてどのテーブルのどのセルのデータを書き換えに行くかがプログラミングされており、１つのセルのデータ更新により複数のセルのデータ更新を行う場合もある。
【０１９１】
また、上記ショップ用データベースサーバ７における第１の金融トランザクション３７ａのデータ更新に応じて、金融用データベースサーバ６５の第２の金融トランザクション３７ｂにおける上記データ更新に対応したデータが更新される。このとき、データ更新の種類が、アップデート、インサート、デリートのいずれかによってつぎのデータ更新する場所が異なる場合があるので、データの種類およびデータ更新の種類に応じてどのテーブルのどのセルのデータを書き換えに行くかがプログラミングされており、１つのセルのデータ更新により複数のセルのデータ更新を行う場合もある。
【０１９２】
そして、ショップ用データベースサーバ７のおけるショップトランザクション３５、第１の物流トランザクション３６ａ、第１の金融トランザクション３７ａがデータ更新され、引き続き物流用データベースサーバ６２の第２の物流トランザクション３６ｂがデータ更新され、引き続き金融用データベースサーバ６５の第２の金融トランザクション３７ｂがデータ更新されると、ショップ用ウェブサーバ６のデータ処理手段２２により、データ更新の確定指令が出力されて一連のデータ更新が確定し、処理を終了する。
【０１９３】
一方、上述したのとは反対に、上記物流用データベースサーバ６２における第２の物流トランザクション３６ｂのデータ更新に応じて、ショップ用データベースサーバ７の第１の物流トランザクション３６ａにおける上記データ更新に対応したデータが更新される。また、上記金融用データベースサーバ６５における第２の金融トランザクション３７ｂのデータ更新に応じて、ショップ用データベースサーバ７の第１の金融トランザクション３７ａにおける上記データ更新に対応したデータが更新される。
【０１９４】
このとき、データ更新の種類が、アップデート、インサート、デリートのいずれかによってつぎのデータ更新する場所が異なる場合があるので、データの種類およびデータ更新の種類に応じてどのテーブルのどのセルのデータを書き換えに行くかがプログラミングされており、１つのセルのデータ更新により複数のセルのデータ更新を行う場合もある。
【０１９５】
このように、物流用ウェブサーバ６１においてログイン認証された端末装置５に対して、物流用データベースサーバ６２へのアクセスを許可し、ここでのデータ更新がショップ用データベースサーバ７にも反映されることから、常にトランザクションデータの整合を図ることができる。このとき、物流用ウェブサーバ６１においてログイン認証された端末装置５は、ショップ用データベースサーバ７へのアクセスは可能であるが、ショップ用データベースサーバ７のデータの更新は許可されておらず、データの閲覧のみが可能となっている。
【０１９６】
また、金融用ウェブサーバ６４においてログイン認証された端末装置５に対して、金融用データベースサーバ６５へのアクセスを許可し、ここでのデータ更新がショップ用データベースサーバ７にも反映されることから、常にトランザクションデータの整合を図ることができる。このとき、金融用ウェブサーバ６４においてログイン認証された端末装置５は、ショップ用データベースサーバ７へのアクセスは可能であるが、ショップ用データベースサーバ７のデータの更新は許可されておらず、データの閲覧のみが可能となっている。
【０１９７】
また、上記ショップ用データベースサーバ７における商品マスタ１０、顧客マスタ１２、ショップマスタ１１のデータ更新に応じて、物流用データベースサーバ６２の物流マスタ５４および、金融用データベースサーバ６５の金融マスタ７４における上記データ更新に対応したデータが更新される。
【０１９８】
マスタテーブルについては、ショップ用データベースサーバ７で商品マスタ１０、顧客マスタ１２、ショップマスタ１１のデータ更新があった場合、物流用データベースサーバ６２の物流マスタ５４および、金融用データベースサーバ６５の金融マスタ７４において更新に対応するセルは固定化している。このため、ショップ用データベースサーバ７で商品マスタ１０、顧客マスタ１２、ショップマスタ１１のデータ更新があった場合、物流マスタ５４および金融マスタ７４の対応するセルが自動的に更新されるように構成されている。
【０１９９】
また、商品マスタ１０、顧客マスタ１２、ショップマスタ１１のデータは、物流業者や金融業者による物流マスタ５４や金融マスタ７４のデータ更新によってショップのマスタテーブルが更新されてしまうことのないよう、ショップ用データベースサーバ７でのマスタテーブルのデータ更新は、物流用データベースサーバ６２、金融用データベースサーバ６５のマスタテーブルの更新に反映されるだけで、その反対は行わない。
【０２００】
ショップ用データベースサーバ７には、ショップマスタ１１、商品マスタ１０、顧客マスタ１２、ショップトランザクション３５、第１の物流トランザクション３６ａ、第１の金融トランザクション３７ａが格納されたショップデータ格納部２３が、ショップ毎に複数格納されている。そして、複数のショップデータ格納部２３のいずれかにおけるデータ更新に応じて、物流用データベースサーバ６２および金融用データベースサーバ６５における上記データ更新に対応したデータが更新される。
【０２０１】
また、上記ショップ用データベースサーバ７におけるショップデータ格納部２３および、ショップ用ウェブサーバ６におけるショップサイト格納部２０を、ショップが増加するごとに増設した場合に、増設されたショップのショップデータ格納部２３におけるデータ更新に応じて、物流用データベースサーバ６２および金融用データベースサーバ６５における上記データ更新に対応したデータが更新される。
【０２０２】
以上のように、本発明によれば、上記ショップ用データベースサーバにおけるデータ格納部および、ショップ用ウェブサーバにおけるショップサイト格納部を、ショップが増加するごとに増設しうるように構成されていることから、ショッピングサイトをいちいち新たに構築するのに比べ、ショップサイトを容易に増加することができる。
【０２０３】
本発明において、上記ウェブページ生成手段は、各ショップごとのコンテンツページおよび購入処理ページの表示設定を変更可能に構成されている場合には、
各ショップごとに生成されるコンテンツページおよび購入処理ページの表示が変更されるため、ショップのオリジナリティを出したカスタマイズを容易に行うことができる。
【０２０４】
本発明において、上記ウェブページ生成手段は、上記ショップマスタおよび／または商品マスタをデータベース検索手段でデータベース検索することにより抽出された情報に基づいて、上記コンテンツページとしてショップ詳細情報ページおよび／または商品詳細情報ページを静的ファイルとして自動生成し、ＵＲＬとなるファイル名を付与してショップサイト格納部に格納する場合には、
ショップで取り扱う商品数が増加したとしても、商品マスタのデータを追加するだけで商品詳細情報ページが自動生成されるため、そのつど煩雑なウェブページ作成作業を行わなくても、ごく軽微な作業だけで商品詳細情報ページをつくることができる。
また、ショップの情報に変更があったとしても、ショップマスタのデータを更新するだけでショップ詳細情報ページが自動生成されるため、そのつど煩雑なウェブページ作成作業を行わなくても、ごく軽微な作業だけでショップ詳細情報ページをつくることができる。
【０２０５】
本発明において、上記ウェブページ生成手段は、さらに、上記商品詳細情報ページに設けられたリンクへの操作入力をトリガーとして、上記商品マスタをデータベース検索手段でデータベース検索することにより抽出された情報に基づいて、上記購入処理ページを動的ファイルとして自動生成してキャッシュする場合には、
上記ショップの購入処理ページは、商品の抽出条件その他の条件によって必ずしも表示すべき商品等が一定しないため、静的ファイルとして格納せずに動的ファイルとしてキャッシュし、システムのファイル格納領域を節約することができる。取り扱い商品の変更や追加があったとしても、商品マスタのデータを追加するだけで、そのつど生成される動的ファイルとしての購入処理ページが自動生成されるため、そのつど煩雑なウェブページ作成作業を行わなくても済む。
【０２０６】
本発明において、上記ウェブページ生成手段は、さらに、上記ショップ詳細情報ページに設けられたリンクへの操作入力をトリガーとして、上記商品マスタをデータベース検索手段でデータベース検索することにより抽出された情報に基づいて、上記コンテンツページとして当該ショップにおける取扱い商品の一覧を示す取扱商品一覧ページを動的ファイルとして自動生成してキャッシュし、
上記取扱商品一覧ページは、上記商品詳細情報ページに対するリンクが設けられるとともに、ショップ詳細情報ページに設けられたリンクを介して端末装置に表示されるように構成されている場合には
上述したように静的ファイルとしてショップサイト格納部に格納されたショップ詳細情報ページと商品詳細情報ページとを、動的ファイルである取扱商品一覧ページを介してつなげることにより、端末装置を操作する購入者は、ショップ詳細の情報から購入を希望する商品の情報にたどりつくことができる。このようにすることにより、検索エンジン等からショップ詳細情報ページに入ってきた購入者は、当該ショップ詳細情報から容易に商品の情報を入手して購入処理まで行うことができる。
さらに、上記ショップ毎の取扱商品一覧ページは、商品の抽出条件その他の条件によって必ずしも一覧表示すべき商品等が一定しないため、静的ファイルとして格納せずに動的ファイルとしてキャッシュし、システムのファイル格納領域を節約することができる。取り扱い商品の変更や追加があったとしても、商品マスタのデータを追加するだけで、そのつど生成される動的ファイルとしての取扱商品一覧ページが自動生成されるため、そのつど煩雑なウェブページ作成作業を行わなくても済む。
【０２０７】
また、本発明によれば、ショップ用データベースサーバにおけるデータ更新に応じて、業者用データベースサーバにおける上記データ更新に対応したデータを更新することから、ショップ用データベースサーバと業者用データベースサーバとの間でデータが共通化される。そして、従来の電子商取引システムのように、ショップ、物流会社、金融機関がそれぞれ独自のシステムを構築するのではなく、電子商取引を行うショップサイトと上記ショップと連携して業務を行う例えば物流会社や金融機関等の業者サイトとが連携してスムーズな電子商取引を実現する総合的な電子商取引システムが実現し、データベースを共通化してシステム的な無駄を大幅に減少できる。
【０２０８】
本発明において、上記ショップデータベースサーバにおいて、ショップトランザクションのデータ更新に応じて、ショップ用業務トランザクションにおける上記データ更新に対応したデータが更新されるように構成された場合には、ショップ用データベースサーバにおいて、ショップトランザクションとショップ用業務トランザクションのデータを整合する。
【０２０９】
本発明において、ショップデータベースサーバには、ショップマスタ、ショップトランザクションおよびショップ用業務トランザクションが格納されたデータ格納部が、ショップ毎に複数格納され、ショップごとに複数設けられたデータ格納部いずれかにおけるデータ更新に応じて、業者データベースサーバにおける上記データ更新に対応したデータが更新されるように構成されている場合には、複数のショップ毎に設けられたデータ格納部と業者用データベースサーバとの間でデータを共通化し、複数のショップが集まったインターネットショッピングモールにおける総合的な電子商取引システムが実現する。また、モールに出店するショップの増加にも容易に対応することができる。
【０２１０】
本発明において、業者用ウェブサーバにおいてログイン認証された端末装置に対して、業者用データベースサーバへのアクセスを許可するとともに、ショップ用データベースサーバへのアクセスを許可するように構成された場合には、業者ウェブサーバにおいて、業者用データベースサーバとショップ用データベースサーバの双方にアクセスしての業務が可能となる。
【図面の簡単な説明】
【０２１１】
【図１】本発明の電子商取引システムを含むネットワーク構成を示す図である。
【図２】ショップサーバシステムの構成を示す機能ブロック図である。
【図３】データ格納部に格納されたマスタテーブルを示す図である。
【図４】データ格納部に格納されたトランザクションを示す図である。
【図５】ショップサイト格納部の詳細を示すブロック図である。
【図６】ポータルサーバシステムの構成を示す機能ブロック図である。
【図７】データ格納部に格納されたテーブルを示す図である。
【図８】ウェブサイトの構成の一例を示す図である。
【図９】本実施の形態の動作の一例を示す図である。
【図１０】物流サーバシステムの構成を示す機能ブロック図である。
【図１１】データ格納部に格納されたテーブルを示す図である。
【図１２】金融サーバシステムの構成を示す機能ブロック図である。
【図１３】データ格納部に格納されたテーブルを示す図である。
【図１４】本実施の形態の動作の一例を示す図である。
【符号の説明】
【０２１２】
１      ショップサーバシステム
２      インターネット
３      ポータルサーバシステム
４      検索エンジン
５      端末装置
６      ショップ用ウェブサーバ
７      ショップ用データベースサーバ
８      ポータル用ウェブサーバ
９      ポータル用データベースサーバ
１０      商品マスタ
１１      ショップマスタ
１２      顧客マスタ
１３      トランザクション格納部
１５      データベース検索手段
１６      ウェブページ生成手段
１７      テンプレート格納部
１８      静的ファイル格納部
１９      動的ファイルキャッシュ部
２０      ショップサイト格納部
２１      表示制御手段
２２      データ処理手段
２３      ショップデータ格納部
２５      データベース検索手段
２６      ショップデータ
２７      商品データ
２８      表示制御手段
２９      ポータルサイト格納部
３０      動的ファイルキャッシュ部
３１      静的ファイル格納部
３２      ウェブページ生成手段
３３      テンプレート格納部
３４      ポータルデータ格納部
３５      ショップトランザクション
３６ａ    物流トランザクション
３６ｂ    物流トランザクション
３７ａ    金融トランザクション
３７ｂ    金融トランザクション
４０      ショップホームページ
４２      ポータルトップページ
４３      ショップ一覧ページ
４４      商品一覧ページ
４５      ショップ詳細情報ページ
４６      商品詳細情報ページ
４７      取扱商品一覧ページ
４８      購入処理ページ
４９      業種カテゴリ一覧ページ
５０      商品分類一覧ページ
５１      データベース検索手段
５２      物流マスタ格納部
５３      物流データ格納部
５４      物流マスタ
５４ａ    配送方法テーブル
５４ｂ    配送料テーブル
５４ｃ    代引手数料テーブル
５４ｄ    時間帯テーブル
５５      ウェブページ生成手段
５６      物流サイト格納部
５７      テンプレート格納部
５８      静的ファイル格納部
５９      動的ファイルキャッシュ部
６０      表示制御手段
６１      物流用ウェブサーバ
６２      物流用データベースサーバ
６３      物流サーバシステム
６４      金融用ウェブサーバ
６５      金融用データベースサーバ
６６      金融サーバシステム
６７      イントラネット
６９      データ処理手段
７０      認証手段
７１      金融データ格納部
７２      データベース検索手段
７３      金融マスタ格納部
７４      金融マスタ
７４ａ    カード会社テーブル
７４ｂ    カード代行会社テーブル
７４ｃ    支払い区分テーブル
７５      ウェブページ生成手段
７６      金融サイト格納部
７７      テンプレート格納部
７８      静的ファイル格納部
７９      動的ファイルキャッシュ部
８０      表示制御手段
８１      データ処理手段
８２      認証手段
【図１】
2007133792.tif 000003
【図２】
2007133792.tif 000004
【図３】
2007133792.tif 000005
【図４】
2007133792.tif 000006
【図５】
2007133792.tif 000007
【図６】
2007133792.tif 000008
【図７】
2007133792.tif 000009
【図８】
2007133792.tif 000010
【図９】
2007133792.tif 000011
【図１０】
2007133792.tif 000012
【図１１】
2007133792.tif 000013
【図１２】
2007133792.tif 000014
【図１３】
2007133792.tif 000015
【図１４】
2007133792.tif 000016